(57)【要約】【課題】ＤＶＤビデオ規格やＤＶＤビデオレコーディング（ＶＲ）規格に準拠して動画像データを記録するＤＶＤビデオカメラにおいて、ＤＶＤ上に空き領域があっても、規格の制約上、動画像データを記録できない状態に陥った場合に、ユーザが所望のシーンを記録し損ねることの防止を図る。【解決手段】ランダムアクセス可能な記録媒体を所定数の管理単位に分割し、管理単位ごとに記録管理を行う所定の管理方式を用いて、該記録媒体に動画像データを記録する画像記録装置において、前記記録媒体における前記所定数の管理単位の全てが既に記録済みであるか否かを判別する（Ｓ４０４）。その結果、前記所定数の管理単位の全てが既に記録済みであると判別されたとき、ユーザに警告メッセージを発行する（Ｓ４０５）。【選択図】図２
2008011458.tif 000002
【特許請求の範囲】
【請求項１】
ランダムアクセス可能な記録媒体に対し所定の記録フォーマットに従って動画像データを記録すると共に、前記記録媒体に記録された動画像データを前記記録フォーマットに係る管理単位ごとに管理する画像記録装置において、
前記記録媒体において、前記記録フォーマットにて規定された所定数の管理単位の全てが既に記録済みであるか否かを判別する判別手段と、
前記記録媒体上に所定の管理方式に基づいて動画像データを記録するための動画像記録モードと、前記記録媒体上に静止画像データを記録するための静止画像記録モードとを切り替えるモード切り替え手段と、
前記動画像記録モードの起動時に、前記判別手段によって前記所定数の管理単位の全てが既に記録済みであると判別されたとき、前記動画像記録モードに代わって前記静止画像記録モードを起動させる起動手段と
を有することを特徴とする画像記録装置。
【請求項２】
前記判別手段は、前記動画像記録モードの起動時に動作することを特徴とする請求項１記載の画像記録装置。
【請求項３】
前記判別手段によって前記所定数の管理単位の全てが既に記録済みであると判別されたとき、前記記録媒体を別の新たな記録媒体と交換することを促す警告メッセージを発行する発行手段を更に有することを特徴とする請求項１記載の画像記録装置。
【請求項４】
前記記録フォーマットはＤＶＤビデオフォーマットであり、
前記管理単位がタイトルであるとともに、前記所定数が９９であることを特徴とする請求項１記載の画像記録装置。
【請求項５】
前記記録フォーマットがＤＶＤビデオレコーディングフォーマットであり、
前記管理単位がチャプタであるとともに、前記所定数が９９９であることを特徴とする請求項１記載の画像記録装置。
【請求項６】
ランダムアクセス可能な記録媒体に対し所定の記録フォーマットに従って動画像データを記録すると共に、前記記録媒体に記録された動画像データを前記記録フォーマットに係る管理単位ごとに管理する画像記録装置において、
前記記録媒体において、前記記録フォーマットにて規定された所定数の管理単位の全てが既に記録済みであるか否かを判別する第１の判別手段と、
前記第１の判別手段によって前記所定数の管理単位の全てが既に記録済みであると判別されたとき、ユーザによって新たに設定された動画像撮影記録パラメータが、前記所定数の管理単位のうち最後に記録が行われた管理単位における動画像撮影記録パラメータと同一であるか否かを判別する第２の判別手段と、
前記第２の判別手段によって前記両動画像撮影記録パラメータが同一でないと判別されたとき、前記記録媒体に動画像データを記録することができない旨を表す警告メッセージをユーザに発行する発行手段と
を有することを特徴とする画像記録装置。
【請求項７】
前記動画像撮影記録パラメータは、動画像のアスペクト比、動画像データの圧縮符号化形式、動画像の解像度、音声データの圧縮符号化形式、および音声のチャネル数のうちの少なくとも１つであることを特徴とする請求項６記載の画像記録装置。
【請求項８】
前記第２の判別手段によって前記両動画像撮影記録パラメータが同一でないと判別されたとき、前記所定数の管理単位のうち最後に記録が行われた管理単位における動画像撮影記録パラメータを用いて動画像の撮影および記録を行う撮影記録手段を更に有することを特徴とする請求項６記載の画像記録装置。
【請求項９】
前記所定の管理方式がＤＶＤビデオ規格に準拠した管理方式であり、
前記管理単位がタイトルであるとともに、前記所定数が９９であることを特徴とする請求項６記載の画像記録装置。
【請求項１０】
ランダムアクセス可能な記録媒体に対し所定の記録フォーマットに従って動画像データを記録すると共に、前記記録媒体に記録された動画像データを前記記録フォーマットに係る管理単位ごとに管理する画像記録装置に適用される画像記録方法において、
前記記録媒体において、前記記録フォーマットにて規定された所定数の管理単位の全てが既に記録済みであるか否かを判別する判別ステップと、
前記記録媒体上に所定の管理方式に基づいて動画像データを記録するための動画像記録モードと、前記記録媒体上に静止画像データを記録するための静止画像記録モードとを切り替えるモード切り替えステップと、
前記動画像記録モードの起動時に、前記判別ステップにおいて前記所定数の管理単位の全てが既に記録済みであると判別されたとき、前記動画像記録モードに代わって前記静止画像記録モードを起動させる起動ステップと
を有することを特徴とする画像記録方法。
【請求項１１】
前記判別ステップは、前記動画像記録モードの起動時に実行されることを特徴とする請求項１０記載の画像記録方法。
【請求項１２】
前記判別ステップにおいて前記所定数の管理単位の全てが既に記録済みであると判別されたとき、前記記録媒体を別の新たな記録媒体と交換することを促す警告メッセージを発行する発行ステップを更に有することを特徴とする請求項１０記載の画像記録方法。
【請求項１３】
前記記録フォーマットはＤＶＤビデオフォーマットであり、
前記管理単位がタイトルであるとともに、前記所定数が９９であることを特徴とする請求項１０記載の画像記録方法。
【請求項１４】
前記記録フォーマットがＤＶＤビデオレコーディングフォーマットであり、
前記管理単位がチャプタであるとともに、前記所定数が９９９であることを特徴とする請求項１０記載の画像記録方法。
【請求項１５】
ランダムアクセス可能な記録媒体に対し所定の記録フォーマットに従って動画像データを記録すると共に、前記記録媒体に記録された動画像データを前記記録フォーマットに係る管理単位ごとに管理する画像記録装置に適用される画像記録方法において、
前記記録媒体において、前記記録フォーマットにて規定された所定数の管理単位の全てが既に記録済みであるか否かを判別する第１の判別ステップと、
前記第１の判別ステップにおいて前記所定数の管理単位の全てが既に記録済みであると判別されたとき、ユーザによって新たに設定された動画像撮影記録パラメータが、前記所定数の管理単位のうち最後に記録が行われた管理単位における動画像撮影記録パラメータと同一であるか否かを判別する第２の判別ステップと、
前記第２の判別ステップにおいて前記両動画像撮影記録パラメータが同一でないと判別されたとき、前記記録媒体に動画像データを記録することができない旨を表す警告メッセージをユーザに発行する発行ステップと
を有することを特徴とする画像記録方法。
【請求項１６】
前記動画像撮影記録パラメータは、動画像のアスペクト比、動画像データの圧縮符号化形式、動画像の解像度、音声データの圧縮符号化形式、および音声のチャネル数のうちの少なくとも１つであることを特徴とする請求項１５記載の画像記録方法。
【請求項１７】
前記第２の判別ステップにおいて前記両動画像撮影記録パラメータが同一でないと判別されたとき、前記所定数の管理単位のうち最後に記録が行われた管理単位における動画像撮影記録パラメータを用いて動画像の撮影および記録を行う撮影記録ステップを更に有することを特徴とする請求項１５記載の画像記録方法。
【請求項１８】
前記所定の管理方式がＤＶＤビデオ規格に準拠した管理方式であり、
前記管理単位がタイトルであるとともに、前記所定数が９９であることを特徴とする請求項１５記載の画像記録方法。
【請求項１９】
ランダムアクセス可能な記録媒体に対し所定の記録フォーマットに従って動画像データを記録すると共に、前記記録媒体に記録された動画像データを前記記録フォーマットに係る管理単位ごとに管理する画像記録装置に適用される画像記録方法を、コンピュータに実行させるためのプログラムにおいて、
前記記録媒体において、前記記録フォーマットにて規定された所定数の管理単位の全てが既に記録済みであるか否かを判別する判別ステップと、
前記記録媒体上に所定の管理方式に基づいて動画像データを記録するための動画像記録モードと、前記記録媒体上に静止画像データを記録するための静止画像記録モードとを切り替えるモード切り替えステップと、
前記動画像記録モードの起動時に、前記判別ステップにおいて前記所定数の管理単位の全てが既に記録済みであると判別されたとき、前記動画像記録モードに代わって前記静止画像記録モードを起動させる起動ステップと
を有することを特徴とするプログラム。
【請求項２０】
ランダムアクセス可能な記録媒体に対し記録フォーマットに従って動画像データを記録すると共に、前記記録媒体に記録された動画像データを前記記録フォーマットに係る管理単位ごとに管理する画像記録装置に適用される画像記録方法を、コンピュータに実行させるためのプログラムにおいて、
前記記録媒体において、前記記録フォーマットにて規定された所定数の管理単位の全てが既に記録済みであるか否かを判別する第１の判別ステップと、
前記第１の判別ステップにおいて前記所定数の管理単位の全てが既に記録済みであると判別されたとき、ユーザによって新たに設定された動画像撮影記録パラメータが、前記所定数の管理単位のうち最後に記録が行われた管理単位における動画像撮影記録パラメータと同一であるか否かを判別する第２の判別ステップと、
前記第２の判別ステップにおいて前記両動画像撮影記録パラメータが同一でないと判別されたとき、前記記録媒体に動画像データを記録することができない旨を表す警告メッセージをユーザに発行する発行ステップと
を有することを特徴とするプログラム。
【発明の詳細な説明】
【技術分野】
【０００１】
本発明は、画像記録装置、画像記録方法、及びプログラムに関し、特に、ランダムアクセス可能な記録媒体に対し所定の記録フォーマットに従って動画像データを記録すると共に、前記記録媒体に記録された動画像データを前記記録フォーマットに係る管理単位ごとに管理する画像記録装置、該画像記録装置に適用される画像記録方法、及び該画像記録方法をコンピュータに実行させるためのプログラムに関する。
【背景技術】
【０００２】
従来、動画像や静止画像を撮影し、得られた画像データをＤＶＤ（Digital Video Disc）などの光ディスクに記録したり、該光ディスクから画像データを読み出して再生したりすることが可能なディスクビデオカメラが知られている。
【０００３】
ＤＶＤに動画像データを記録する場合、例えば、ＤＶＤビデオ規格やＤＶＤビデオレコーディング（ＶＲ）規格が用いられることが多い。このうち、ＤＶＤビデオ規格で記録されたＤＶＤは、市販の録画済みＤＶＤとの規格上の互換性が高く、そのため、ＤＶＤビデオ規格でＤＶＤに記録された動画像データを、一般のＤＶＤビデオプレーヤにて再生できることが多い。
【０００４】
また、ＤＶＤビデオ規格においては、ＤＶＤビデオプレーヤ間の再生互換を確保するため、動画像データの連続再生を保証する単位（以下「タイトル」と記述）を、ＤＶＤ上において物理的に連続性を持って記録することが規定されている。また、同一タイトル内では動画像データの例えばアスペクト比を固定するように規定されている。また、ＤＶＤ１枚に記録可能なタイトル数は９９と規定されている。
【０００５】
一方、静止画データをＤＶＤに記録する場合、ＤＶＤビデオ規格やＤＶＤビデオレコーディング（ＶＲ）規格とは異なった記録フォーマットが用いられる。そのため、動画像撮影の合間に静止画撮影を行う場合、その都度、タイトルをクローズしなければならない。動画撮影中に撮影者がアスペクト比を変換して撮影する場合においても同様である。
【０００６】
このため、静止画と動画像記録との切り替えや、アスペクト比の切り替えを頻繁に行うと、タイトルが９９に達し、当該ＤＶＤに対して、空き領域があっても、それ以上の動画像データを記録できなくなるという問題が発生する。
【０００７】
この問題を解決する方法として、無駄にタイトルを切る（増やす）動作を抑止する方法が提案されている（例えば、特許文献１参照）。
【０００８】
なお、上記の問題は、ＤＶＤビデオレコーディング（ＶＲ）規格でチャプタ９９９を撮り終えた後において同様に発生する。
【特許文献１】特開２００４−３０８６３号公報
【発明の開示】
【発明が解決しようとする課題】
【０００９】
しかしながら、上記従来の特許文献１に例示される方法では、ＤＶＤ上に空き領域がある場合に規格上、動画像データの追記を行えない状態になるのを遅らせる効果はあるが、その状態を回避できるわけではなかった。したがって、ＤＶＤ上に空き領域があるにも拘らず、所望のシーンの記録を失敗する恐れがあった。
【００１０】
また、上記従来の特許文献１に例示される方法では、ユーザは撮影を開始してみなければ、実際に動画像データを記録できるか否かが分からない。そのため、撮影前に記録できるか否かの試し撮りを行う必要があり、それを怠ると、所望のシーンの記録を失敗する恐れがあった。
【００１１】
本発明はこのような問題点に鑑みてなされたものであって、ＤＶＤビデオ規格やＤＶＤビデオレコーディング（ＶＲ）規格に準拠して動画像データを記録するＤＶＤビデオカメラにおいて、ＤＶＤ上に空き領域があっても、規格の制約上、動画像データを記録できない状態に陥った場合に、ユーザが所望のシーンを記録し損ねることの防止を図った画像記録装置、画像記録方法、及びプログラムを提供することを目的とする。
【課題を解決するための手段】
【００１２】
上記目的を達成するために、請求項１記載の発明によれば、ランダムアクセス可能な記録媒体に対し所定の記録フォーマットに従って動画像データを記録すると共に、前記記録媒体に記録された動画像データを前記記録フォーマットに係る管理単位ごとに管理する画像記録装置において、前記記録媒体において、前記記録フォーマットにて規定された所定数の管理単位の全てが既に記録済みであるか否かを判別する判別手段と、前記記録媒体上に所定の管理方式に基づいて動画像データを記録するための動画像記録モードと、前記記録媒体上に静止画像データを記録するための静止画像記録モードとを切り替えるモード切り替え手段と、前記動画像記録モードの起動時に、前記判別手段によって前記所定数の管理単位の全てが既に記録済みであると判別されたとき、前記動画像記録モードに代わって前記静止画像記録モードを起動させる起動手段とを有することを特徴とする画像記録装置が提供される。
【００１３】
また、請求項６記載の発明によれば、ランダムアクセス可能な記録媒体に対し所定の記録フォーマットに従って動画像データを記録すると共に、前記記録媒体に記録された動画像データを前記記録フォーマットに係る管理単位ごとに管理する画像記録装置において、前記記録媒体において、前記記録フォーマットにて規定された所定数の管理単位の全てが既に記録済みであるか否かを判別する第１の判別手段と、前記第１の判別手段によって前記所定数の管理単位の全てが既に記録済みであると判別されたとき、ユーザによって新たに設定された動画像撮影記録パラメータが、前記所定数の管理単位のうち最後に記録が行われた管理単位における動画像撮影記録パラメータと同一であるか否かを判別する第２の判別手段と、前記第２の判別手段によって前記両動画像撮影記録パラメータが同一でないと判別されたとき、前記記録媒体に動画像データを記録することができない旨を表す警告メッセージをユーザに発行する発行手段とを有することを特徴とする画像記録装置が提供される。
【００１４】
また、請求項１０記載の発明によれば、ランダムアクセス可能な記録媒体に対し所定の記録フォーマットに従って動画像データを記録すると共に、前記記録媒体に記録された動画像データを前記記録フォーマットに係る管理単位ごとに管理する画像記録装置に適用される画像記録方法において、前記記録媒体において、前記記録フォーマットにて規定された所定数の管理単位の全てが既に記録済みであるか否かを判別する判別ステップと、前記記録媒体上に所定の管理方式に基づいて動画像データを記録するための動画像記録モードと、前記記録媒体上に静止画像データを記録するための静止画像記録モードとを切り替えるモード切り替えステップと、前記動画像記録モードの起動時に、前記判別ステップにおいて前記所定数の管理単位の全てが既に記録済みであると判別されたとき、前記動画像記録モードに代わって前記静止画像記録モードを起動させる起動ステップとを有することを特徴とする画像記録方法が提供される。
【００１５】
また、請求項１５記載の発明によれば、ランダムアクセス可能な記録媒体に対し所定の記録フォーマットに従って動画像データを記録すると共に、前記記録媒体に記録された動画像データを前記記録フォーマットに係る管理単位ごとに管理する画像記録装置に適用される画像記録方法において、前記記録媒体において、前記記録フォーマットにて規定された所定数の管理単位の全てが既に記録済みであるか否かを判別する第１の判別ステップと、前記第１の判別ステップにおいて前記所定数の管理単位の全てが既に記録済みであると判別されたとき、ユーザによって新たに設定された動画像撮影記録パラメータが、前記所定数の管理単位のうち最後に記録が行われた管理単位における動画像撮影記録パラメータと同一であるか否かを判別する第２の判別ステップと、前記第２の判別ステップにおいて前記両動画像撮影記録パラメータが同一でないと判別されたとき、前記記録媒体に動画像データを記録することができない旨を表す警告メッセージをユーザに発行する発行ステップとを有することを特徴とする画像記録方法が提供される。
【００１６】
さらに、上記画像記録方法をコンピュータに実行させるためのプログラムが提供される。
【発明の効果】
【００１７】
本発明によれば、ランダムアクセス可能な記録媒体を所定数の管理単位に分割し、管理単位ごとに記録管理を行う所定の管理方式を用いて、該記録媒体に動画像データを記録する画像記録装置において、前記記録媒体における前記所定数の管理単位の全てが既に記録済みであるか否かを判別する。その結果、前記所定数の管理単位の全てが既に記録済みであると判別されたとき、ユーザに警告メッセージを発行する。
【００１８】
これにより、例えばＤＶＤビデオ規格やＤＶＤビデオレコーディング（ＶＲ）規格に準拠して動画像データを記録するＤＶＤビデオカメラ（画像記録装置）において、ＤＶＤ（記録媒体）上に空き領域があっても、規格の制約上、動画像データを記録できない状態に陥った場合に、記録媒体を別の新たな記録媒体と交換することを促す警告メッセージをユーザに提供することで、所望のシーンを記録し損ねることを防止できる。
【発明を実施するための最良の形態】
【００１９】
以下、本発明を実施するための最良の形態について、図面を参照して説明する。
【００２０】
〔第１の実施の形態〕
図１は、本発明の第１の実施の形態に係る画像記録装置を含むＤＶＤデジタルビデオカメラ（以下「ＤＶＤビデオカメラ」という）の構成を示すブロック図である。
【００２１】
図１において、符号３０１は、ＤＶＤビデオカメラ全体の制御を担う制御部である。符号３０２は、焦点距離や絞りの状態を変更可能なレンズである。符号３０３は、例えばＣＣＤ（Charge Coupled Device）のような撮像素子であり、レンズ３０２により結像された光を電気信号に変換する機能を有する。符号３０４は信号処理部であり、入力動画像信号に対してホワイトバランスやガンマ補正等の所定の信号処理を行い、得られた動画像データまたは静止画像データを、後述するメモリ３１４に一時記録する。
【００２２】
符号３０５はＭＰＥＧ２符号化／復号化部であり、メモリ３１４に一時記録された動画像データを圧縮方式ＭＰＥＧ２により符号化し、メモリ３１４に書き戻す。また、符号化されたＭＰＥＧ２データを基に動画像データを復号化し、メモリ３１４に書き戻す。符号３０６はＪＰＥＧ符号化／復号化部であり、メモリ３１４に一時記録された静止画像データを圧縮方式ＪＰＥＧにより符号化し、メモリ３１４に書き戻す。また、符号化されたＪＰＥＧデータを基に静止画像データの復号化を行い、メモリ３１４に書き戻す。
【００２３】
符号３０７はサブピクチャ符号化／復号化部であり、制御部３０１が生成してメモリ３１４に一時記録したサブピクチャ（副画像）のビットマップデータを符号化し、得られた圧縮データ（サブピクチャデータ）をメモリ３１４に書き戻す。また、圧縮データを復号化して、得られたビットマップデータをメモリ３１４に書き戻す。本実施の形態におけるサブピクチャ符号化／復号化部３０７は、ランレングス符号化方式を用いる。
【００２４】
符号３０８はマイクであり、音声を音声信号に変換する。符号３０９はスピーカであり、マイク３０８とは逆に、音声信号を音声に変換する。符号３１０は音声信号符号化／復号化部であり、マイク３０８から出力された音声信号を所定の符号化フォーマットによって符号化し、メモリ３１４に一時記録する。また、メモリ３１４に保持され符号化データを基に音声信号の復号化を行う。上記の所定の符号化フォーマットとして、本実施の形態では、ＤＶＤで使用されるＡＣ３（Audio Code number 3）を用いる。
【００２５】
符号３１１はディスク制御部であり、符号３１２は、ランダムアクセス可能な記録媒体のＤＶＤディスクである。ディスク制御部３１１は、メモリ３１４に保持されたＭＰＥＧ２データ、音声データ、サブピクチャデータを多重化して、ＤＶＤディスク３１２に記録する。また逆に、ＤＶＤディスク３１２に記録された多重化データを読み出し、ＭＰＥＧ２データ、音声データ、サブピクチャデータに分離し、メモリ３１４の所定の領域に書き込む。ＪＰＥＦＧデータについても、同様にＤＶＤディスク３１２に記録することができる。
【００２６】
符号３１３はフラッシュメモリであり、制御部３０１で動作されるプログラムを格納するとともに、各種設定データの格納も行う。また、上述のサブピクチャに利用するビットマップデータ等もフラッシュメモリ３１３に保持される。フラッシュメモリ３１３に記録されたデータは、本ＤＶＤビデオカメラの電源が切られた状態でも保持されるため、電源断後も保持する必要のある管理データ等の保持にも利用される。
【００２７】
符号３１４はメモリであり、ＭＰＥＧ２データバッファ、音声データバッファ、サブピクチャデータバッファ、ワークメモリ等に使用される。
【００２８】
符号３１５は表示部であり、復号化して得られた映像データの表示デバイスとして利用されるとともに、撮影時のビューファインダとしても機能する。また、利用者が本ＤＶＤビデオカメラを操作する場合の操作画面としての機能も兼ね備える。
【００２９】
符号３１６はデータバスであり、制御部３０１から各機能ブロックへのアクセスに使用されるとともに、メモリ３１４を介して各機能ブロック間で行われるデータ転送等にも使用される。
【００３０】
上記のように構成されたＤＶＤビデオカメラは、静止画像記録用の動作モード（以下「静止画記録モード」という）と、動画像記録用の動作モード（以下「動画記録モード」という）とを有する。ユーザによっていずれかの記録モードを指定されると、制御部３０１が、指定された記録モードとＤＶＤディスク３１２内の状態とから静止画記録モードまたは動画記録モードを選択して起動し、静止画像または動画像がＤＶＤディスク３１２に記録可能になる。
【００３１】
制御部３０１が動画記録モードを選択して起動した場合、動画像は、動画のアスペクト比、圧縮符号化形式、解像度に基づいて、また音声の圧縮符号化形式、チャネル数に基づいて、ＭＰＥＧ２方式によってデータ圧縮される。それとともに、所定のデジタル動画フォーマットで、本実施の形態ではＤＶＤビデオフォーマットで、ＤＶＤディスク３１２に記録される。また制御部３０１が静止画記録モードを選択して起動した場合、静止画像は、ＪＰＥＧ方式によってデータ圧縮される。そして、デジタル静止画フォーマット、本実施の形態では規格ＤＣＦ（Design rule for Camera File system）に準拠するかたちで、ＤＶＤディスク３１２に記録される。
【００３２】
本ＤＶＤビデオカメラでは、動画記録モードでの起動時において、規格の制約上、動画像を記録できない場合に警告メッセージを発行する。この動作について、図２を参照して説明する。
【００３３】
図２は、図１に示す制御部３０１で実行される起動処理の手順を示すフローチャートである。
【００３４】
まずステップＳ４０１において、本ＤＶＤビデオカメラを起動する。つぎにステップＳ４０２において、ユーザが指定した記録モードが静止画記録モードであるか、動画記録モードであるかを判別する。静止画記録モードが指定されている場合、ステップＳ４０３へと進み、静止画記録モードで起動する。そして本起動処理を終了する。
【００３５】
一方、動画記録モードが指定されている場合、ステップＳ４０４へ進み、ＤＶＤディスク３１２の記録内容をチェックし、タイトル９９が既にクローズされているか（記録済みになっているか）否かを判別する。タイトル９９がクローズされているか否かの判別は、例えば、タイトル９９に属する管理情報ＶＴＳＩ（ビデオタイトルセットインフォメーション）が記録されているか否かを調べる。そして、記録されていればクローズ済み、記録されていなければ未クローズと判断する。また、タイトル９９の動画像データの物理的な最終書き込みアドレス以降に実データ（例えばＶＴＳＩのバックアップ情報や静止画像など）が記録されているか否かに応じて判別してもよい。また、タイトル９９内に既に記録済みのチャプタ数をＶＴＳＩからチェックし、チャプタ数が９９であればクローズ済み、９９未満であれば未クローズと判断してもよい。さらに、これらの方法を複数組み合わせるようにしてもよい。
【００３６】
タイトル９９がクローズされていれば、ステップＳ４０５に進み、新たな動画データの記録ができない旨を表すとともに、ＤＶＤディスクの交換を求める警告メッセージを表示部３１５に表示する。その後、ステップＳ４０６へ進み、動画記録モードで起動する。そして本起動処理を終了する。
【００３７】
一方、タイトル９９が未クローズであると判別されたならば、警告メッセージの表示は行わずステップＳ４０６へ進み、動画記録モードで起動する。そして本起動処理を終了する。
【００３８】
以上のような起動処理によって、ＤＶＤビデオ規格に対応したＤＶＤビデオカメラにおいて、ＤＶＤディスク上に空き領域があっても、ＤＶＤビデオ規格の制約上、動画像データを記録できない状態に陥った場合、警告メッセージを速やかに表示する。これによって、新たな動画像データを記録できない状態であることをユーザに通知することができ、また、ユーザが所望のシーンを撮影し損ねる前に、ＤＶＤディスクの交換を促すことができる。
【００３９】
なお、本実施の形態では、ＤＶＤビデオ規格に準拠したＤＶＤビデオカメラを例に挙げて説明したが、図２に示すステップＳ４０４において、ＤＶＤビデオレコーディング（ＶＲ）規格の管理情報を調べるようにしてもよい。すなわち、チャプタ９９９がクローズしているか（記録済みであるか）否かを判別し、チャプタ９９９が既にクローズしているならばステップＳ４０５へ、未クローズであればステップＳ４０６へ進む。これにより、ＤＶＤビデオレコーディング（ＶＲ）規格に準拠したＤＶＤビデオカメラでも同様の作用効果を得ることができる。
【００４０】
また、ＤＶＤビデオ規格に準拠したＤＶＤビデオカメラにおいてフォトムービーの生成を予定している場合、図２に示すステップＳ４０４で、タイトル９８がクローズしているか否かを判別するようにしてもよい。
【００４１】
〔第２の実施の形態〕
次に、本発明の第２の実施の形態を説明する。
【００４２】
第２の実施の形態の構成は、基本的に第１の実施の形態の構成と同じであるので、第２の実施の形態の説明においては、第１の実施の形態の構成と同一部分には同一の参照符号を付して、第１の実施の形態の説明を流用し、異なる部分だけを説明する。
【００４３】
第２の実施の形態では、ＤＶＤ上に空き領域があっても、ＤＶＤ規格の制約上、動画像データが記録できない状態に陥った場合、静止画像データを記録するようにする。
【００４４】
図３は、第２の実施の形態における制御部３０１で実行される起動処理の手順を示すフローチャートである。
【００４５】
まずステップＳ５０１において、本ＤＶＤビデオカメラを起動する。つぎにステップＳ５０２において、ユーザが指定した記録モードが静止画記録モードであるか、動画記録モードであるかを判別する。静止画記録モードが指定されている場合、ステップＳ５０３へ進み、静止画記録モードで起動する。そして本起動処理を終了する。
【００４６】
一方、動画記録モードが指定されている場合、ステップＳ５０４へ進み、ＤＶＤディスク３１２の記録内容をチェックし、タイトル９９が既にクローズされているか（記録済みになっているか）否かを判別する。この判別の方法は、第１の実施の形態における判別方法と同じである。
【００４７】
この判別の結果、タイトル９９がクローズされていれば、ステップＳ５０５に進み、新たな動画データの記録ができない旨を表すとともに、静止画記録モードに移行する旨を表す警告メッセージを表示部３１５に表示する。そしてステップＳ５０３へ進み、静止画記録モードで起動し、本起動処理を終了する。
【００４８】
一方、タイトル９９が未クローズであると判別されたならばステップＳ５０６へ進み、動画記録モードで起動する。そして本起動処理を終了する。
【００４９】
以上のような起動処理によって、第２の実施の形態では、ＤＶＤディスク上に空き領域があっても、動画像データを記録できない状態に陥った場合、その旨を表す警告メッセージをユーザに表示するとともに、静止画記録モードに移行する。これによって、第１の実施の形態のように、動画像データの記録ができないにも拘わらず、動画像記録モードで起動するということを回避することができる。なお、上記の警告メッセージに、ＤＶＤディスクの交換を促すメッセージを含めるようにしてもよい。
【００５０】
なおまた、第２の実施の形態でも、第１の実施の形態と同様に、ＤＶＤビデオレコーディング（ＶＲ）規格やフォトムービーへの対応を行うようにしてもよい。
【００５１】
〔第３の実施の形態〕
次に、本発明の第３の実施の形態を説明する。
【００５２】
第３の実施の形態の構成は、基本的に第１の実施の形態の構成と同じであるので、第３の実施の形態の説明においては、第１の実施の形態の構成と同一部分には同一の参照符号を付して、第１の実施の形態の説明を流用し、異なる部分だけを説明する。
【００５３】
第３の実施の形態では、ユーザによる動画アスペクト比の変更操作に起因してタイトル９９がクローズし、動画像データの記録ができなくなる場合に、警告メッセージを表示するようにする。
【００５４】
図４は、第３の実施の形態における制御部３０１で実行される起動処理の手順を示すフローチャートである。
【００５５】
まずステップＳ６０１において、動画記録モードを起動する。つぎにステップＳ６０２において、記録対象タイトルがタイトル９９であるか否かをチェックする。その結果、記録対象タイトルがタイトル９９でないならば、ステップＳ６０３に進み、ユーザが設定したアスペクト比に基づいて起動する。そして、本起動処理を終了する。
【００５６】
一方、記録対象タイトルがタイトル９９であるならば、ステップＳ６０４に進み、タイトル９９において適用されているアスペクト比と、ユーザが設定したアスペクト比とが一致しているか否かをチェックする。その結果、一致していればステップＳ６０３へ進む。一方、不一致であればステップＳ６０５へ進み、動画像データの記録ができない旨を表す警告メッセージを表示部３１５に表示し、ステップＳ６０３へ進む。
【００５７】
以上のような起動処理によって、ＤＶＤビデオ規格に対応したＤＶＤビデオカメラにおいて、動画アスペクト比の変更に伴い、動画像データを記録できない状態に陥った場合、その旨を示す警告メッセージを速やかに表示する。これによって、新たな動画像データを記録できない状態であることをユーザに通知することができる。
【００５８】
なお、第３の実施の形態でも、第１の実施の形態と同様に、フォトムービーへの対応を行うようにしてもよい。
【００５９】
また、本実施の形態では、ユーザによって動画アスペクト比の変更操作が行われ、これによって、動画像データを記録できない状態に陥った場合を例に挙げて説明した。しかし、これに代わって、動画像データの圧縮符号化形式・解像度や、音声データの圧縮符号化形式・チャネル数をユーザ操作によって変更し、これによって、動画像データを記録できない状態に陥った場合に対しても同様に適用できる。
【００６０】
〔第４の実施の形態〕
次に、本発明の第４の実施の形態を説明する。
【００６１】
第３の実施の形態の構成は、基本的に第１の実施の形態の構成と同じであるので、第４の実施の形態の説明においては、第１の実施の形態の構成と同一部分には同一の参照符号を付して、第１の実施の形態の説明を流用し、異なる部分だけを説明する。
【００６２】
第４の実施の形態では、ユーザによる動画アスペクト比の変更操作に起因してタイトル９９がクローズし、動画像データの記録ができなくなる場合に、動画アスペクト比を変更しないで記録を行うようにする。
【００６３】
図５は、第４の実施の形態における制御部３０１で実行される起動処理の手順を示すフローチャートである。
【００６４】
まずステップＳ７０１において、動画記録モードを起動する。つぎにステップＳ７０２において、記録対象タイトルがタイトル９９であるか否かをチェックする。その結果、記録対象タイトルがタイトル９９でないならば、ステップＳ７０３に進み、ユーザが設定したアスペクト比に基づいて起動する。そして、本起動処理を終了する。
【００６５】
一方、記録対象タイトルがタイトル９９であるならば、ステップＳ７０４に進み、タイトル９９において適用されているアスペクト比と、ユーザが設定したアスペクト比とが一致しているか否かをチェックする。その結果、一致していればステップＳ７０３へ進む。一方、不一致であればステップＳ７０５へ進み、ユーザ設定の動画アスペクト比には従わない旨を表す警告メッセージを表示部３１５に表示し、ステップＳ７０６へ進む。
【００６６】
ステップＳ７０６では、タイトル９９において適用されているアスペクト比と同じ画像アスペクト比で起動する。そして、本起動処理を終了する。
【００６７】
以上のような起動処理によって、ＤＶＤビデオ規格に対応したＤＶＤビデオカメラにおいて、動画アスペクト比の変更に伴い、動画像データを記録できない状態に陥った場合、ユーザ設定の動画アスペクト比には従わない旨を表す警告メッセージを表示する。それとともに、ユーザ設定の動画アスペクト比ではなく、タイトル９９において適用されているアスペクト比と同じ画像アスペクト比で起動する。これにより、ＤＶＤディスク上に空き領域があるにも拘らず、動画像データが記録できない状態になることを回避することができる。
【００６８】
なお、第４の実施の形態でも、第１の実施の形態と同様に、フォトムービーへの対応を行うようにしてもよい。
【００６９】
また、本実施の形態では、ユーザによって動画アスペクト比の変更操作が行われ、これによって、動画像データを記録できない状態に陥った場合を例に挙げて説明した。しかし、これに代わって、動画像データの圧縮符号化形式・解像度や、音声データの圧縮符号化形式・チャネル数をユーザ操作によって変更し、これによって、動画像データを記録できない状態に陥った場合に対しても同様に適用できる。
【００７０】
〔他の実施の形態〕
また、本発明の目的は、前述した各実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても達成される。
【００７１】
この場合、記憶媒体から読み出されたプログラムコード自体が前述した各実施の形態の機能を実現することになり、そのプログラムコード及び該プログラムコードを記憶した記憶媒体は本発明を構成することになる。
【００７２】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【００７３】
また、コンピュータが読み出したプログラムコードを実行することにより、前述した各実施の形態の機能が実現されるだけではなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【００７４】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その拡張機能を拡張ボードや拡張ユニットに備わるＣＰＵ等が実際の処理の一部または全部を行い、その処理によって前述した各実施の形態の機能が実現される場合も含まれる。
【図面の簡単な説明】
【００７５】
【図１】本発明の第１の実施の形態に係る画像記録装置を含むＤＶＤビデオカメラの構成を示すブロック図である。
【図２】図１に示す制御部で実行される起動処理の手順を示すフローチャートである。
【図３】第２の実施の形態における制御部で実行される起動処理の手順を示すフローチャートである。
【図４】第３の実施の形態における制御部で実行される起動処理の手順を示すフローチャートである。
【図５】第４の実施の形態における制御部で実行される起動処理の手順を示すフローチャートである。
【符号の説明】
【００７６】
３０１  制御部
３０２  レンズ
３０３  撮像素子
３０４  信号処理部
３０５  ＭＰＥＧ２符号化／復号化部
３０６  ＪＰＥＧ符号化／復号化部
３０７  サブピクチャ符号化／復号化部
３０８  マイク
３０９  スピーカ
３１０  音声信号符号化／復号化部
３１１  ディスク制御部
３１２  ＤＶＤディスク
３１３  フラッシュメモリ
３１４  メモリ
３１５  表示部
３１６  データバス
【図１】
2008011458.tif 000003
【図２】
2008011458.tif 000004
【図３】
2008011458.tif 000005
【図４】
2008011458.tif 000006
【図５】
2008011458.tif 000007